(57)【要約】【課題】撮影者の意図する撮影のタイミングの前後で撮影を行う場合においても、ユーザの撮影操作に応じた良い画質の静止画像の撮影を可能とする。【解決手段】光学系により結像される被写体像を受光し、電気信号に変換して出力する撮像素子を用いる撮像方法であって、前記撮像素子が出力する電気信号に基づいて順次生成される画像を継続して画面に表示し、ユーザの撮影操作を受けて、定められる受光時間の間、受光した前記撮像素子が出力する電気信号を前記被写体像の撮影静止画像の信号とし、当該電気信号に基づいて前記被写体像の撮影静止画像情報を生成し、前記撮像素子の前記撮影静止画像の電気信号の出力に続いて、定められる受光時間の間、受光した前記撮像素子が出力する電気信号を前記被写体像の撮影後静止画像の信号とし、当該電気信号に基づいて前記被写体像の撮影後静止画像情報を生成する。【選択図】図１
2015220592.tif 000002
【特許請求の範囲】
【請求項１】
光学系により結像される被写体像を受光し、電気信号に変換して出力する撮像素子と、
前記撮像素子が出力する電気信号に基づいて順次生成される画像を継続して表示する表示部と、
前記撮像素子を受光させる受光時間を定めるシャッタ制御部と、
ユーザの撮影操作を受けて、前記シャッタ制御部が定める前記受光時間、前記撮像素子に受光させるシャッタ操作部と、
前記シャッタ操作部が前記ユーザの撮影操作を受けて、前記受光時間の間、受光した前記撮像素子が出力する電気信号を前記被写体像の撮影静止画像の信号とし、当該電気信号に基づいて前記被写体像の撮影静止画像情報を生成し、前記撮像素子の前記撮影静止画像の電気信号の出力に続いて、前記シャッタ制御部が定める受光時間の間、受光した前記撮像素子が出力する電気信号を前記被写体像の撮影後静止画像の信号とし、当該電気信号に基づいて前記被写体像の撮影後静止画像情報を生成する撮像処理部と、
を備えることを特徴とする撮像装置。
【請求項２】
前記撮像処理部は、
前記シャッタ操作部が前記ユーザの撮影操作を受ける前に、前記撮像素子が受光して出力する電気信号を前記被写体像の撮影前静止画像の信号とし、当該電気信号に基づいて前記被写体像の撮影前静止画像情報を生成する
ことを特徴とする請求項１に記載の撮像装置。
【請求項３】
記憶部を備え、
前記撮像処理部は、
前記撮影前静止画像の信号が出力される間、当該電気信号に基づいて前記被写体像の撮影前静止画像情報を繰り返し生成して、前記撮影前静止画像を前記記憶部に書き込み、
予め定められる保存期間を超えた前記撮影前静止画像については前記記憶部から削除する
ことを特徴とする請求項２に記載の撮像装置。
【請求項４】
光学系により結像される被写体像を受光し、電気信号に変換して出力する撮像素子を用いる撮像方法であって、
前記撮像素子が出力する電気信号に基づいて順次生成される画像を継続して画面に表示し、
ユーザの撮影操作を受けて、定められる受光時間の間、受光した前記撮像素子が出力する電気信号を前記被写体像の撮影静止画像の信号とし、当該電気信号に基づいて前記被写体像の撮影静止画像情報を生成し、
前記撮像素子の前記撮影静止画像の電気信号の出力に続いて、定められる受光時間の間、受光した前記撮像素子が出力する電気信号を前記被写体像の撮影後静止画像の信号とし、当該電気信号に基づいて前記被写体像の撮影後静止画像情報を生成する
ことを特徴とする撮像方法。
【請求項５】
光学系により結像される被写体像を受光し、電気信号に変換して出力する撮像素子を備えるコンピュータに、
前記撮像素子が出力する電気信号に基づいて順次生成される画像を継続して画面に表示する手順、
ユーザの撮影操作を受けて、定められる受光時間の間、受光した前記撮像素子が出力する電気信号を前記被写体像の撮影静止画像の信号とし、当該電気信号に基づいて前記被写体像の撮影静止画像情報を生成する手順、
前記撮像素子の前記撮影静止画像の電気信号の出力に続いて、定められる受光時間の間、受光した前記撮像素子が出力する電気信号を前記被写体像の撮影後静止画像の信号とし、当該電気信号に基づいて前記被写体像の撮影後静止画像情報を生成する手順、
を実行させるための撮像プログラム。
【発明の詳細な説明】
【技術分野】
【０００１】
本発明は、撮像装置、撮像方法、及び撮像プログラムに関する。
【背景技術】
【０００２】
近年、デジタルカメラによる静止画像の撮影において、撮影者がシャッタチャンスを逃さないようにするための技術として、プリキャプチャ技術などの技術がある。このような技術では、撮影者によるシャッタ操作の前後で静止画を連続して取得し、撮影が終了した後で撮影者の意図に基づいて撮影した静止画像も含めた複数枚の静止画像から所望の静止画像を撮影者が選択できるようになっている（例えば、特許文献１参照）。
【０００３】
ところで、デジタルカメラでは、被写体像を得るためにイメージセンサと呼ばれる撮像素子が用いられている。撮像素子は、複数の画素から構成されており、各画素に蓄積された電荷が所定のタイミングで順次読み出され電気信号として出力される。この電気信号に所定の信号処理や画像処理を施すことで被写体の画像が得られる。撮像素子において、各画素からの電荷の読み出し処理と、各画素での受光を並行して行うと、各画素から得られる画像の情報に時間差が生じることになり、１つの静止画像にした場合、画像に歪みが含まれてしまうなどの劣化が発生する。そのため、撮影者が撮影したいタイミングの短時間の間のみ物理的、または電子的なシャッタにより撮像素子を受光させ、その間の電気信号を取得することで、撮影者が望む劣化のない静止画像を得る仕組みが用いられている。
【先行技術文献】
【特許文献】
【０００４】
【特許文献１】特開２０１３−１７９５２０号公報
【発明の概要】
【発明が解決しようとする課題】
【０００５】
光学的なファインダを用いないデジタルカメラ、または、スマートフォンやタブレットのカメラなどについては、撮像素子に結像されている被写体像を液晶画面に表示させ、この液晶画面がファインダとして用いられる。そのため、これらのカメラでは、構図やフォーカスを撮影者が確認するため、撮影を行う撮影者がシャッタ操作を行うまでは、液晶ファインダへの表示を継続しておく必要がある。
【０００６】
しかしながら、液晶ファインダへ表示する画像情報も撮影に用いる撮像素子から取得しているため、シャッタ操作を行って撮像素子の受光を制限してしまうと、連続した受光の遮断が発生してしまう。その結果、液晶ファインダの表示が不安定になってしまう。そのため、従来では、受光を遮断しない手法によって連続した静止画像を取得せざるを得ず、画質の低い静止画像しか得られないという問題があった。
【０００７】
本発明は、上記問題を解決すべくなされたもので、その目的は、撮影者の意図する撮影のタイミングの前後で撮影を行う場合においても、ユーザの撮影操作に応じた良い画質の静止画像の撮影を可能とする撮像装置、撮像方法、及び撮像プログラムを提供することにある。
【課題を解決するための手段】
【０００８】
上記問題を解決するために、本発明の一態様は、光学系により結像される被写体像を受光し、電気信号に変換して出力する撮像素子と、前記撮像素子が出力する電気信号に基づいて順次生成される画像を継続して表示する表示部と、前記撮像素子を受光させる受光時間を定めるシャッタ制御部と、ユーザの撮影操作を受けて、前記シャッタ制御部が定める前記受光時間、前記撮像素子を受光させるシャッタ操作部と、前記シャッタ操作部が前記ユーザの撮影操作を受けて、前記受光時間の間、受光した前記撮像素子が出力する電気信号を前記被写体像の撮影静止画像の信号とし、当該電気信号に基づいて前記被写体像の撮影静止画像情報を生成し、前記撮像素子の前記撮影静止画像の電気信号の出力に続いて、前記シャッタ制御部が定める受光時間の間、受光した前記撮像素子が出力する電気信号を前記被写体像の撮影後静止画像の信号とし、当該電気信号に基づいて前記被写体像の撮影後静止画像情報を生成する撮像処理部と、を備えることを特徴とする撮像装置である。
【発明の効果】
【０００９】
この発明によれば、撮影者の意図する撮影のタイミングの前後で撮影を行う場合においても、ユーザの撮影操作に応じた良い画質の静止画像の撮影が可能となる。
【図面の簡単な説明】
【００１０】
【図１】本発明の実施形態による撮像装置を示すブロック図である。
【図２】同実施形態における撮像処理のフローチャートである。
【図３】同実施形態における撮像処理の概略を説明する図である。
【図４】同実施形態のハードウェア構成を示す図である。
【発明を実施するための形態】
【００１１】
以下、本発明の実施形態について図面を参照して説明する。図１は、本発明による撮像装置１の構成を示すブロック図である。撮像装置１は、例えば、スマートフォンに内蔵されるイメージセンサやアプリケーションプログラムで構成されるカメラであり、光学系部１０、シャッタ制御部１１、撮像素子１２、シャッタ操作部１３、入力部１４、表示部１５、記憶部１６、撮像処理部２０を備える。光学系部１０は、破線で示す入射光が入射し、撮像素子１２の受光面に、例えば、被写体Ｈの被写体像を結像する。また、光学系部１０は、制御部２４からの駆動信号を受けて、レンズの位置を動かし、それにより、被写体像の焦点を自動的に合わせるオートフォーカス処理が行われる。なお、光学系部１０によるフォーカスは、オートフォーカスに限られず、手動で行われる構成であってもよい。また、光学系部１０は、撮像装置１において一体的な構成ではなく、着脱可能なものであってもよい。
【００１２】
シャッタ制御部１１は、物理的、または、電子的なシャッタであり、制御部２４によって予め定められるシャッタ速度、すなわち撮像素子１２に受光させる受光時間にしたがってシャッタを駆動する。シャッタが駆動されることにより、まず、撮像素子１２への入射光の遮断が行われ、次いで、入射光の遮断の開放による撮像素子１２の受光が行われ、開放時から受光時間経過後に再度、撮像素子１２への入射光を遮断するという一連のシャッタ動作が行われる。また、シャッタ制御部１１は、シャッタ操作部１３、または制御部２４から入力される撮影開始信号を受けて上記のシャッタ動作を行う。なお、電子的なシャッタの場合、撮像素子１２への電圧の印加によってシャッタ処理が行われるため、シャッタ制御部１１と撮像素子１２は一体として構成される場合もある。また、電子的なシャッタの場合、上記の一連のシャッタ動作は、撮像素子１２への駆動電圧の印加のＯＮとＯＦＦのタイミングで行われ、一例として、ＯＮ状態で受光する撮像素子１２の場合、ＯＦＦ状態からＯＮ状態とし、ＯＮ状態から受光時間経過後にＯＦＦ状態にすることによって行われる。
【００１３】
撮像素子１２は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ＭＯＳ）のイメージセンサであり、光学系部１０により結像される被写体像を含む入射光を複数の画素によって受光する。また、撮像素子１２は、各画素で受光した光を光電変換して画素ごとに電荷として蓄積し、各画素から電荷を読み出すことによって受光した光を電気信号に変換して出力する。撮像素子１２では、各画素から順番に電荷を読み出すため、撮像素子１２が受光し続けていると画素ごとに蓄積される電荷が示す画像情報に時間差が生じてしまう。そのため、歪み等の劣化の少ない静止画を取得する場合には、上記のシャッタ動作によって、短時間の入射光に対応する電荷を各画素に蓄積させることになる。シャッタ操作部１３は、ユーザの操作を受けて、撮影開始信号をシャッタ制御部１１と制御部２４に出力する。入力部１４は、シャッタ操作部１３で行われる操作以外のユーザの操作、例えば、カメラのアプリケーションソフトウェアの起動、液晶画面に表示される画像の拡大縮小、ホワイトバランスの選択等を受け、操作に対応する信号を制御部２４に出力する。なお、シャッタ操作部１３及び入力部１４として、表示部１５の表示画面上に備えられるタッチパネルが適用されてもよい。
【００１４】
撮像処理部２０は、信号処理部２１、画像処理部２２、メモリ２３、制御部２４を備える。信号処理部２１は、撮像素子１２が出力する電気信号の量子化、例えば、ＡＤ(Analog Digital)変換を行う。画像処理部２２は、信号処理部２１が量子化した信号からＲＧＢ画像を生成し、更に、明るさ、コントラスト等を調整する画像処理を行って画像信号を出力する。メモリ２３は、例えば、ＲＡＭ（Ｒａｎｄｏｍ  Ａｃｃｅｓｓ  Ｍｅｍｏｒｙ）などの一時記憶領域であり、画像処理部２２が出力する画像信号を一時記憶する。表示部１５は、例えば、スマートフォンの液晶画面であり、メモリ２３に記憶される画像信号を順次読み出して表示する。
【００１５】
制御部２４は、光学系部１０、シャッタ制御部１１、撮像素子１２などに信号を出力して、オートフォーカスや露出やシャッタ速度などの撮影条件に関する設定、撮影操作前の撮影や撮影操作後の撮影の開始の指示を行う。また、制御部２４は、ユーザの入力部１４の操作により設定されるホワイトバランスの選択などの画像の処理に関する設定を受け、撮像処理部２０の信号処理部２１や画像処理部２２に対して、ユーザの設定に対応するパラメータの入力等も行う。また、制御部２４は、静止画像の撮影が行われた場合、メモリ２３に記憶される撮影された静止画像に対応する画像信号から静止画像情報を生成し、記憶部１６に書き込んで記憶させる。記憶部１６は、例えば、着脱可能なメモリカードなどの記録媒体である。
【００１６】
図２は、本実施形態における撮像装置１による撮影処理を示すフローチャートである。また、図３は、撮像処理の概略を説明する図であり、以下、図２、図３を参照しつつ、本実施形態による撮影処理について説明する。まず、撮影を行うユーザが、入力部１４を操作することによって、入力部１４は、起動指示信号を制御部２４に出力する。制御部２４は、起動指示信号を受けて、撮像素子１２、撮像処理部２０の信号処理部２１、画像処理部２２、メモリ２３、表示部１５を起動し、また、表示部１５にシャッタ操作部１３に対応するシャッタボタンの画像を表示する。これにより、撮像装置１の起動が行われる（ステップＳ１）。
【００１７】
起動された状態では、シャッタは入射光を遮蔽している状態ではなく、光学系部１０によって撮像素子１２の受光面上に被写体像が結像され、撮像素子１２が受光する。撮像素子１２は、受光した被写体像を含む入射光を電気信号に変換して信号処理部２１に出力する。信号処理部２１は、電気信号に対して量子化する等の処理を行って画像処理部２２に出力する。画像処理部２２は、信号処理部２１が出力した信号からＲＧＢ画像を生成し、メモリ２３に書き込む。表示部１５は、メモリ２３に書き込まれた画像信号を読み出して液晶画面に表示する。これらの処理により、光学系部１０を通じて結像された画像が、撮像素子１２が電気信号を出力する間隔で表示部１５において繰り返し表示されることになる。制御部２４は、メモリ２３に書き込まれた画像信号に基づいてオートフォーカスを行い、焦点が合うまで、光学系部１０を駆動させる信号を光学系部１０に出力する。制御部２４は、メモリ２３に記憶されている画像信号に基づいて、焦点が合ったと判定した場合に、撮影操作前の撮影を開始する（ステップＳ２）。
【００１８】
撮影操作前の撮影は、シャッタによる受光の制御なく、すなわち入射光の遮断を行うことなく行われる。撮像素子１２が受光して電気信号を出力し、信号処理部２１、画像処理部２２によって当該電気信号が処理されて画像信号としてメモリ２３に書き込まれる（ステップＳ３）。制御部２４は、メモリ２３から１枚の静止画に対応する画像信号を読み出して、静止画像情報を生成し、撮影前静止画像情報として記憶部１６に書き込む（ステップＳ４）。制御部２４は、シャッタ操作による割り込み、すなわち、シャッタ操作部１３がユーザによって操作されたか否かを判定する。制御部２４は、シャッタ操作部１３が操作されていないと判定した場合、ステップＳ３、Ｓ４の処理、すなわち撮影前静止画像情報の生成と、生成した撮影前静止画像情報の記憶部１６への書き込みを繰り返し行う（ステップＳ５：Ｎｏ）。これにより、図３に示す撮影開始から撮影者によるシャッタ操作までのシャッタ前保存期間における受光制御がされていない撮影前静止画像情報が得られることになる。一方で、撮像素子１２において受光の遮断が行われていないため、メモリ２３には連続した画像信号が書き込まれ、表示部１５には、連続した画像が安定して表示され、ユーザは、安定した画像に基づいてファインダ操作を行うことができる。
【００１９】
シャッタ操作部１３が、ユーザによって操作されると、シャッタ操作部１３は、撮影開始信号をシャッタ制御部１１と、制御部２４に出力する。制御部２４は、シャッタ操作部１３から撮影開始信号を受けると、シャッタ操作部１３がユーザによって操作されたと判定する（ステップＳ５：Ｙｅｓ）。シャッタ制御部１１は、シャッタ操作部１３から撮影開始信号を受けると、上述したシャッタ動作、すなわち、撮像素子１２に対する入射光の遮断、遮断の開放、開放時から受光時間経過後の再度の遮断という一連のシャッタ動作を行う。この受光時間の間、受光した撮像素子１２は、電気信号を出力し、信号処理部２１、画像処理部２２によって当該電気信号が処理されて画像信号としてメモリ２３に書き込まれる（ステップＳ６）。制御部２４は、メモリ２３に書き込まれた当該画像信号から静止画像情報を生成し、撮影静止画像情報として記憶部１６に書き込む（ステップＳ７）。この撮影静止画像情報が、図３に示す撮影者によるシャッタ操作の直後の撮影者の操作による静止画像に対応する。ステップＳ６、Ｓ７の間、表示部１５には、受光制御により、やや不安定となる画像が表示されることになるが、画像の表示は継続されるため、ユーザは、液晶ファインダを参照しつつ操作を行うことができる。
【００２０】
続いて、制御部２４は、撮影開始信号をシャッタ制御部１１に出力し、シャッタ制御部１１によりシャッタ動作が行われ、当該シャッタ動作による受光時間の間、受光した撮像素子１２は、電気信号を出力し、信号処理部２１、画像処理部２２によって当該電気信号が処理されて画像信号としてメモリ２３に書き込まれる（ステップＳ８）。制御部２４は、メモリ２３に書き込まれた画像信号から静止画像情報を生成し、撮影後静止画像情報として記憶部１６に書き込む（ステップＳ９）。ステップＳ８、Ｓ９の間、表示部１５には、受光制御により、やや不安定となる画像が表示されることになるが、画像の表示は継続されるため、ユーザは、液晶ファインダを参照しつつ操作を行うことができる。制御部２４は、一定時間経過したか否かを内部の時計等の計時手段により計測し、一定時間が経過していないと判定した場合、ステップＳ８、Ｓ９の処理を繰り返し、一定時間が経過したと判定した場合、処理を終了する（ステップＳ１０）。これにより、図３の撮像装置によるシャッタ操作ごとの撮影後静止画像情報が得られることになる。
【００２１】
上記の実施形態の構成により、ユーザによるシャッタ操作前は、撮像素子１２は、連続した被写体像の画像を取得しつつ、シャッタ動作が行われないため、表示部１５には、連続した被写体像の画像が安定して表示される。これにより、ファインダ表示に影響を与えることがないため、フォーカスを合わせたり、倍率や構図を定めたりしつつ、撮影操作前に存在するシャッタチャンスを逃さずに、静止画像を得ることができる。一方、ユーザによるシャッタ操作後は、撮影操作後に存在するシャッタチャンスを逃さないために、連続して撮影を行い、更に、シャッタ動作による受光制御をしつつ連続して撮影するため、画質の良い静止画像情報を得ることが可能となる。この場合、液晶ファインダの表示に受光制御による影響が出てしまい、画像表示が不安定になってしまうが、例えば、動いている被写体を撮影する場合などには、既にフォーカスやシャッタ速度はユーザの操作による撮影で定められているため、多少不安定な表示であっても動きを追尾するには充分である。したがって、撮影者の意図する撮影のタイミングの前後で撮影を行う場合においても、ユーザの撮影操作に応じた良い画質の静止画像の撮影が可能となる。
【００２２】
なお、上記の実施形態の構成において、シャッタ速度、すなわち撮像素子１２の受光時間は、制御部２４の内部の記憶領域に予め定められている値や、自動露出によって求められるシャッタ速度の値をシャッタ制御部１１に設定するようにしてもよいし、ユーザが入力部１４を操作して手動で設定するようにしてもよい。また、ステップＳ６のユーザの操作による撮影の場合の受光時間と、ステップＳ８における制御部２４が行う撮影操作後の撮影の場合の受光時間は、同一であってもよいし、撮影ごとに制御部２４が設定するようにしてもよい。また、ステップＳ８の処理が行われるごとにオートフォーカスが繰り返し行われるようになっていてもよいし、ステップＳ６のフォーカスの状態が固定されて、ステップ８の撮影が繰り返し行われるようになっていてもよい。
【００２３】
また、上記の実施形態の構成では、ステップＳ８、Ｓ９における制御部２４による受光制御を伴う撮影操作後の撮影は、一定時間経過するまで行われるようにしているが、予め定められる回数繰り返し行われるようにしてもよい。また、ステップＳ１０における一定時間は、１秒程度を想定しているが、この値に限られるものではない。また、オートフォーカスの場合に、焦点が合わなくなったタイミングでステップＳ８、Ｓ９の処理を停止するようにしてもよいし、焦点が合わなくなってもそのままステップＳ８、Ｓ９の処理が行われてもよい。また、図２のフローチャートにおいて、ステップＳ１０で一定時間経過した後に終了しているが、ステップＳ２に戻る処理になっていてもよい。
【００２４】
また、上記の実施形態の構成では、ステップＳ２の撮影前の撮影の開始を、焦点が合ったタイミングとしているが、当該タイミングに限られず、ステップＳ１の起動直後から開始されていてもよく、また、コンパクトデジタルカメラの場合には、シャッタの半押し状態で開始、または、半押し状態で焦点が合ったときに開始するようになっていてもよい。また、ステップＳ３、Ｓ４で得られた撮影前静止画像情報は、保存時間が定められていてもよく、例えば、１秒の保存期間が予め定められた場合、制御部２４が、保存期間が１秒を超えた撮影前静止画像情報を記憶部１６から順に削除していくことになる。
【００２５】
図４は、本発明の撮像装置１のハードウェア構成の一例を示すハードウェア構成図である。装置１００は、撮像装置１に対応する装置である。装置１００は、ＣＰＵ１０１と、ドライブ部１０２と、記憶媒体１０３と、入力部１０４と、出力部１０５と、ＲＯＭ（Ｒｅａｄ  Ｏｎｌｙ  Ｍｅｍｏｒｙ）１０６と、ＲＡＭ（Ｒａｎｄｏｍ  Ａｃｃｃｅｓｓ  Ｍｅｍｏｒｙ）１０７と、補助記憶部１０８と、通信部１０９と、を備える。ＣＰＵ１０１と、ドライブ部１０２と、入力部１０４と、出力部１０５と、ＲＯＭ１０６と、ＲＡＭ１０７と、補助記憶部１０８と、通信部１０９とは、バスＢ（母線）を介して相互に接続される。ＣＰＵ１０１は、補助記憶部１０８が記憶するプログラム、ＲＯＭ１０６およびＲＡＭ１０７が記憶する各種データを読み出して実行し、装置１００を制御する。また、ＣＰＵ１０１は、ドライブ部１０２を介して記憶媒体１０３が記憶する各種データを読み出して実行し、装置１００を制御する。記憶媒体１０２は、光磁気ディスク、フレキシブルディスク、フラッシュメモリなどの可搬記憶媒体であり、各種データを記憶する。ドライブ部１０２は、光ディスクドライブ、フレキシブルディスクドライブなどの記憶媒体１０３の読み出し装置である。入力部１０４は、マウス、キーボード、タッチパネルなどの入力装置である。出力部１０５は、表示部、スピーカなどの出力装置である。ＲＯＭ１０６、ＲＡＭ１０７は、各種データを一時的に記憶する。補助記憶部１０８は、ハードディスクドライブ、フラッシュメモリなどであり、上述した装置１００の各機能部を動作させるためのプログラム、各種データを記憶する。通信部１０９は、通信インターフェースを有し、有線または無線により通信網に接続される。
上述した実施形態における撮像装置１をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ Ａｒｒａｙ）等のプログラマブルロジックデバイスを用いて実現されるものであってもよい。
【００２６】
以上、この発明の実施形態について図面を参照して詳述してきたが、具体的な構成はこの実施形態に限られるものではなく、この発明の要旨を逸脱しない範囲の設計等も含まれる。
【符号の説明】
【００２７】
１・・・撮像装置、１０・・・光学系部、１１・・・シャッタ制御部、１２・・・撮像素子、１３・・・シャッタ操作部、１４・・・入力部、１５・・・表示部、１６・・・記憶部、２０・・・撮像処理部、２１・・・信号処理部、２２・・・画像処理部、２３・・・メモリ、２４・・・制御部
【図１】
2015220592.tif 000003
【図２】
2015220592.tif 000004
【図３】
2015220592.tif 000005
【図４】
2015220592.tif 000006